(57)【要約】【課題】スプリングガイドを有する構成において、商品収納部下部箇所の商品収納有効寸法の調節を、手間をかけることなく行える自動販売機の商品収納装置を提供する。【解決手段】商品収納部に収納された商品３が脱落することを防止するスプリングガイド４と、このスプリングガイド４の下端部に連結された係合ガイド１１と、この係合ガイド１１に設けられた係合部１１ａに係合する被係合部１２ａが複数箇所に設けられたガイドベース１２とを備え、スプリングガイド４の付勢力を利用して、係合ガイド１１によるガイドベース１２の被係合部１２ａに対する係合状態を維持させ、スプリングガイド４の付勢力に抗して、係合ガイド１１をガイドベース１２の被係合部１２ａから離脱させる。これにより、係合ガイド１１およびスプリングガイド４の奥行方向に対する位置変更を行い得るようにした。【選択図】    図２
2005025580.tif 000002
【特許請求の範囲】
【請求項１】
複数の商品を上下に直積み状態で収納する商品収納部と、
付勢力を発生するスプリング部を有し、前記商品収納部の商品補充のために開放された面において上下に張架され、この商品収納部に収納された商品がこの面を通して脱落することを防止するスプリングガイドと、
このスプリングガイドの下端部に連結され、スプリングガイドの付勢力により上方へ付勢された係合ガイドと、
前記係合ガイドに設けられた係合部に係合する被係合部が設けられたガイドベースとを備え、
前記係合ガイドの係合部またはガイドベースの被係合部を、商品収納部の奥行方向に対して複数箇所に設けて、係合ガイドの係合部とガイドベースの被係合部とを選択的に係合可能に構成し、
スプリングガイドの付勢力を利用して、前記係合ガイドによるガイドベースの被係合部に対する係合状態を維持させ、
スプリングガイドの付勢力に抗して、前記係合ガイドをガイドベースの被係合部から離脱させることで、前記係合ガイドおよびスプリングガイドの奥行方向に対する位置変更を行い得るように構成したことを特徴とする自動販売機の商品収納装置。
【請求項２】
係合ガイドを位置変更させる際に係合ガイドの移動方向を案内する案内部を設けたことを特徴とする請求項１に記載の自動販売機の商品収納装置。
【請求項３】
係合ガイドを、スプリングガイドの下端部とともに一体的に昇降するように取り付けられたフック状体により構成し、
ガイドベースの被係合部を、ガイドベースにおいて奥行方向に対して複数箇所に設けられた孔部で構成し、
前記フック状体からなる係合ガイドを、ガイドベースの孔部を選択して係合させるように構成したことを特徴とする請求項１または２に記載の自動販売機の商品収納装置。
【請求項４】
係合ガイドを、スプリングガイドの下端部が引っ掛けられ、ガイドベースに対して奥行方向にスライド自在で、かつ上下方向にも所定範囲内で移動可能なガイド体により構成し、
係合ガイドに、係合部として、商品収納部の奥行方向に対して複数箇所に係合孔を設け、
ガイドベースに、被係合部として、係合ガイドの係合孔に係合する突部を設けたことを特徴とする請求項１または２に記載の自動販売機の商品収納装置。
【発明の詳細な説明】
【０００１】
【発明の属する技術分野】
本発明は自動販売機の商品収納装置に関するものである。
【０００２】
【従来の技術】
図６や図７に示すように、仕切り板１などで上下に長く区切られた商品収納部２内に、たばこなどの箱型の商品３を上下に複数個直積みした状態で収納し、この商品収納部２の一つの面、例えば手前側の面を商品３の補充のために開放させ、この商品収納部２に収納された商品３が前記開放面を通して脱落することを防止するために、付勢力を発生するスプリング部４ａをワイヤー４ｂの途中部分に介装させてなるスプリングガイド４を、前記開放面において上下に張架させた構造は既に知られている（例えば、特許文献１や特許文献２など）。商品３を補充する際には、スプリング部４ａの付勢力に抗してワイヤー４ｂを左右に寄せるなどして、商品３を導入する隙間を確保しながら、商品３を補充する。
【０００３】
このスプリングガイド４は、横方向に延びるガイドベース５上に化粧ねじ６などにより取り付けられている奥行調整ガイド７にその下端が係止されている。奥行調整ガイド７は、商品収納部２の下部箇所の商品収納有効寸法を調節するもので、化粧ねじ６を挿通させる長孔７ｃが形成されているとともに、ガイドベース５には化粧ねじ６を止めるねじ孔５ｂが形成されている。さらに、ガイドベース５には、奥行方向に対して複数位置形成された孔部５ａに係合する爪部７ａが手前寄り箇所に形成されているとともに、この奥行調整ガイド７の上端部には、スプリングガイド４の下端のフック部４ｃが係合可能な長孔７ｂが形成されている。そして、収納する商品３の大きさが変更されたために商品収納有効寸法を調節する場合には、奥行調整ガイド７からスプリングガイド４を取り外した状態で、まず、化粧ねじ６を緩め、次に、奥行調整ガイド７をガイドベース５から少し浮かせて奥行調整ガイド７の爪部７ａをガイドベース５の孔部５ａから離脱させ、この状態で、奥行調整ガイド７の位置を変更し、位置を変更した状態で奥行調整ガイド７の爪部７ａをガイドベース５の孔部５ａに係合させ、この後、化粧ねじ６を締め直し、最後にスプリングガイド４を掛け直すように構成されている。
【０００４】
なお、図６、図７における１０は、商品収納部２に収納された商品３を１つずつ払い出す（図６、図７においては、奥側に払い出す場合を図示している）搬出ユニットである。
【０００５】
【特許文献１】
特開２００２−２７９５１３号公報
【０００６】
【特許文献２】
特開２００２−２１６２３０号公報
【０００７】
【発明が解決しようとする課題】
しかしながら、上記従来構成の商品収納装置において、商品収納部２の下部箇所の商品収納有効寸法を調節する際には、上述したように、奥行調整ガイド７に対するスプリングガイド４の着脱動作以外に、化粧ねじ６を緩める動作と、奥行調整ガイド７の爪部７ａをガイドベース５の孔部５ａからの離脱させる動作と、奥行調整ガイド７を位置変更する動作と、奥行調整ガイド７の爪部７ａをガイドベース５の孔部５ａに係合させる動作と、化粧ねじ６を緩め直しする動作との、５段階の動作を必要とするため、多くの手間がかかってしまい、作業効率が悪かった。
【０００８】
本発明は上記課題を解決するもので、スプリングガイドを有する構成において、商品収納部下部箇所の商品収納有効寸法の調節を、手間をあまりかけることなく行うことができる自動販売機の商品収納装置を提供することを目的とするものである。
【０００９】
【課題を解決するための手段】
上記課題を解決するために本発明の請求項１記載に係る自動販売機の商品収納装置は、複数の商品を上下に直積み状態で収納する商品収納部と、付勢力を発生するスプリング部を有し、前記商品収納部の商品補充のために開放された面において上下に張架され、この商品収納部に収納された商品がこの面を通して脱落することを防止するスプリングガイドと、このスプリングガイドの下端部に連結され、スプリングガイドの付勢力により上方へ付勢された係合ガイドと、前記係合ガイドに設けられた係合部に係合する被係合部が設けられたガイドベースとを備え、前記係合ガイドの係合部またはガイドベースの被係合部を、商品収納部の奥行方向に対して複数箇所に設けて、係合ガイドの係合部とガイドベースの被係合部とを選択的に係合可能に構成し、スプリングガイドの付勢力を利用して、前記係合ガイドによるガイドベースの被係合部に対する係合状態を維持させ、スプリングガイドの付勢力に抗して、前記係合ガイドをガイドベースの被係合部から離脱させることで、前記係合ガイドおよびスプリングガイドの奥行方向に対する位置変更を行い得るように構成したことを特徴とする。
【００１０】
この構成によれば、スプリングガイドの付勢力に抗して、係合ガイドをガイドベースの被係合部から離脱させるだけで、係合ガイドおよびスプリングガイドの奥行方向に対する位置変更を行うことができ、商品収納部下部箇所の商品収納有効寸法の調節を、手間をあまりかけることなく行うことができる。すなわち、係合ガイドによるガイドベースの被係合部に対する係合状態を、スプリングガイドの付勢力を利用して維持させているので、従来の化粧ねじなどを用いていた場合のようなねじを緩める動作や固定する動作などが不要になり、その分だけ、手間を省くことができる。
【００１１】
また、請求項２記載の発明は、請求項１記載の自動販売機の商品収納装置において、係合ガイドを位置変更させる際に係合ガイドの移動方向を案内する案内部を設けたことを特徴とする。
【００１２】
この構成により、係合ガイドを位置変更させる際には、案内部により係合ガイドが案内されるので、係合ガイドの位置変更を容易に行える。
また、請求項３記載の発明は、請求項１または２に記載の自動販売機の商品収納装置において、係合ガイドを、スプリングガイドの下端部とともに一体的に昇降するように取り付けられたフック状体により構成し、ガイドベースの被係合部を、ガイドベースにおいて奥行方向に対して複数箇所に設けられた孔部で構成し、前記フック状体からなる係合ガイドを、ガイドベースの孔部を選択して係合させるように構成したことを特徴とする。
【００１３】
この構成によれば、商品収納部下部箇所の商品収納有効寸法の調節を行う際には、係合ガイドとしてのフック状体を持って、スプリングガイドの付勢力に抗して下降させてガイドベースの孔部から取り外すだけで、容易に、係合ガイドおよびスプリングガイドの奥行方向に対する位置変更を行うことができる。
【００１４】
また、請求項４記載の発明は、請求項１または２に記載の自動販売機の商品収納装置において、係合ガイドを、スプリングガイドの下端部が引っ掛けられ、ガイドベースに対して奥行方向にスライド自在で、かつ上下方向にも所定範囲内で移動可能なガイド体により構成し、係合ガイドに、係合部として、商品収納部の奥行方向に対して複数箇所に係合孔を設け、ガイドベースに、被係合部として、係合ガイドの係合孔に係合する突部を設けたことを特徴とする。
【００１５】
この構成によれば、商品収納部下部箇所の商品収納有効寸法の調節を行う際には、ガイド体からなる係合ガイドを持って、係合ガイドの係合孔からガイドベースの突部を離脱させ、係合ガイドを奥行方向にスライドさせ、適した位置の係合孔をガイドベースの突部に係合させることで、係合ガイドおよびスプリングガイドの奥行方向に対する位置変更を行うことができる。
【００１６】
【発明の実施の形態】
以下、本発明の実施の形態について、図１〜図２を用いて説明する。なお、従来の構成要素と同機能のものには同符号を付して、その説明は一部省略する。
【００１７】
図１、図２に示すように、この自動販売機の商品収納装置は、仕切り板１などで上下に長く区切られ、複数の商品（たばこなどの箱型の商品）３を上下に直積み状態で収納する商品収納部２と、付勢力を発生するスプリング部４ａを有するワイヤー４ｂ（この実施の形態においては、ワイヤー４ｂの少なくとも下端部にスプリング部４ａを有している）からなり、商品収納部２の商品補充のために開放された面（この実施の形態では手前側の面であり、以下、開放面２ａと称す）において上下に張架され、商品収納部２に収納された商品３が開放面２ａを通して脱落することを防止するスプリングガイド４と、スプリングガイド４の下端部に連結されてスプリングガイド４の付勢力により上方へ付勢された係合ガイド１１と、複数の商品収納部２の前方箇所を横切るように配設され、前記係合ガイド１１に設けられた係合部１１ａに係合する被係合部１２ａが商品収納部２の奥行方向に対して複数箇所（この実施の形態では２箇所）に設けられたガイドベース１２と、このガイドベース１２を上下ならびに前方から覆う姿勢で、複数の商品収納部２の前方箇所を横切るように配設されたガイドカバー１３とを備えている。
【００１８】
ここで、この実施の形態では、係合ガイド１１が、スプリングガイド４の下端部とともに一体的に昇降するように取り付けられたフック状体（棒体を屈曲させて形成）により構成されており、このフック状体からなる係合ガイド１１は、スプリングガイド４の下端部に設けられたスプリング部４ａの下端部が巻かれて結合されている下延部１１ｂと、この下延部１１ｂの下端から手前側に延びる前延部１１ｃと、前延部前端から上方に延びる上延部とからなり、この上延部が、ガイドベース１２の被係合部１２ａに係合する係合部１１ａとして機能している。
また、ガイドベース１２には、手前側と奥側との２箇所に孔部が形成され、これらの孔部がそれぞれ被係合部１２ａとして機能し、係合ガイド１１の係合部１１ａが下方から挿入可能に形成されている。さらに、ガイドカバー１３の下面部には、係合ガイド１１の係合部１１ａを奥行方向に沿って移動させる際に、この奥行方向に沿うように案内する案内部としての案内長孔１３ａが形成され、また、ガイドカバー１３の上面部には、係合ガイド１１の係合部１１ａを奥行方向に沿って移動させる際に、この係合部１１ａの移動状態などを視認するための確認用長孔１３ｂが形成され、この確認用長孔１３ｂは、係合部１１ａの上端の位置を見易くするために、案内長孔１３ａよりも少し広幅に孔が形成されている。また、ガイドベース１２の奥側部分は斜め下方に屈曲されており、この下端部には、係合ガイド１１の前延部１１ｃを受ける凹部１２ｂが形成されている。
【００１９】
この構成において、収納する商品３の大きさが変更されたために、商品収納部２における下部箇所の商品収納有効寸法の調節を行う際には、係合ガイド１１としてのフック状体の下延部１１ｂを持って、スプリングガイド４の付勢力に抗して下降させて（図２（ａ）における仮想線部を参照）、係合ガイド１１の係合部１１ａをガイドベース１２の孔部からなる被係合部１２ａから取り外す。そして、図２（ｂ）に示すように、係合ガイド１１を奥行方向に移動させて（図２（ａ）〜（ｃ）においては、手前側に移動させる場合を示している。）、商品３の長さに応じた商品収納有効寸法となるに適した位置のガイドベース１２の被係合部１２ａに、係合ガイド１１の係合部１１ａを挿入させて、係合ガイド１１から手を離す。これにより、スプリングガイド４の付勢力により係合ガイド１１はガイドベース１２の凹部１２ｂに当接するまで上動し、係合ガイド１１はガイドベース１２の被係合部１２ａに良好に係合した状態に維持される。
【００２０】
なお、この位置変更の際に係合ガイド１１の係合部１１ａをガイドベース１２の孔部からなる被係合部１２ａから取り外して、係合ガイド１１を奥行方向（上記の場合は手前側）に少し移動させると、図２（ｂ）に示すように、係合ガイド１１における係合部１１ａの上端部がガイドベース１２の水平面部分よりも下方にもぐり込んだ姿勢となるので、係合ガイド１１を下方に押し下げることをやめても、係合ガイド１１における係合部１１ａの上端部がガイドベース１２の水平面部分に下方から当接した状態となる。そして、この状態から、係合ガイド１１をおおよそ手前側に引くと、係合ガイド１１の係合部１１ａは、ガイドカバー１３の案内長孔１３ａにより、他の方向に移動することが規制されながら、良好に案内され、係合ガイド１１における係合部１１ａの上端部が、位置を変更するガイドベース１２の被係合部１２ａの位置まで移動された時点で、上昇して嵌り込み係合する。
【００２１】
このように、この構成によれば、スプリングガイド４の付勢力を利用して、係合ガイド１１によるガイドベース１２の被係合部１２ａに対する係合状態を維持させるように構成したので、従来必要であった、化粧ねじなどを用いていた場合のようなねじを緩める動作や固定する動作などが不要になり、その分だけ、手間を省くことができる。すなわち、係合ガイド１１のガイドベース１２の被係合部１２ａからの離脱、係合ガイド１１の移動、係合ガイド１１のガイドベース１２の被係合部１２ａへの係合の、３段階の動作だけで済んで、最小限の手間で商品収納有効寸法の調節を行うことができ、作業効率が向上する。
【００２２】
また、位置変更の際には、係合ガイド１１を押し下げて奥行方向（上記の場合は手前側）に少しずらすと、被係合部１２ａの上端がガイドベース１２に下方から当接した姿勢となり、被係合部１２ａから離脱した状態を良好に維持される。
そして、この状態から奥行方向（上記の場合は手前側）に移動させるだけで、ガイドベース１２の被係合部１２ａは、ガイドカバー１３の案内長孔１３ａにより案内されながら、位置を変更するガイドベース１２の被係合部１２ａの位置に容易に移動して係合するので、この位置変更動作を片手だけでも容易かつ確実に行うことができて、さらに作業効率が向上する。
【００２３】
なお、商品収納有効寸法の調節を行うに際して、上記したように、係合ガイド１１の位置調節を行うことで、係合ガイド１１の下延部１１ｂならびにスプリングガイド４の下方寄り部分で商品収納有効寸法が規制されるが、さらに、スプリングガイド４の上方側の位置を変更可能に構成してもよい。例えば、図３に示すように、スプリングガイド４の上端に形成したフック部４ｄに係合する被係合孔１４ａを、商品収納部２の上面部をなす上面部材１４において奥行方向に対して複数組（例えば２つ）形成し、商品寸法に適応した奥行方向の被係合孔１４ａにスプリングガイド４のフック部４ｄを係合させるように、位置変更すればよい。
【００２４】
また、上記実施の形態においては、１つの商品収納部２に対して、スプリングガイド４および係合ガイド１１を１つずつ設けた場合を述べたが、これに限るものではなく、幅広の商品３や商品収納部２に対応して、スプリングガイド４および係合ガイド１１を左右に２つ、または３つ以上設けることも可能であり、この場合には、ガイドベース１２の被係合部１２ａを各係合ガイド１１に対応させて複数箇所形成すればよい。
【００２５】
次に、本発明の他の実施の形態を、図４、図５を用いて説明する。
図４、図５に示すように、この自動販売機の商品収納装置においては、スプリングガイド４の下端部に設けられたフック部４ｃが、係合ガイド１５の後面の規制面部１５ａに形成された引掛溝１５ｂに引っ掛けられている。係合ガイド１５は金属板を屈曲させて形成したガイド体により構成しており、この係合ガイド１５は、複数の商品収納部２の前方箇所を横切るように配設されたガイドベース１６に対して奥行方向にスライド自在で、かつ上下方向にも所定範囲内で移動可能とされている。
【００２６】
ここで、係合ガイド１５は、商品収納部２の有効寸法を実質的に決定する規制面部１５ａと、位置規制面部１５ａの上端から手前側に延びる前延部１５ｃと、前延部１５ｃの前端から斜め下方に延びて下端両側に抜け止め部１５ｄが形成された前面部１５ｅとからなり、前記前延部１５ｃにおける手前側寄りの箇所と奥側寄りの箇所とにそれぞれ係合部としての係合孔１５ｆを設けている。
【００２７】
そして、ガイドベース１６には、その後面箇所に、係合ガイド１５の前延部１５ｃを通す挿通孔１６ａが形成されているとともに、挿通孔１６ａの中央部には下方に突出する被係合部としての突部１６ｂが形成され、この突部１６ｂは、係合ガイド１５の各係合孔１５ｆに選択的に係合するようになっている。
【００２８】
なお、図４（ａ）における１６ｃは、係合ガイド１５の抜け止め部１５ｄが通されて、係合ガイド１５を前後方向に案内する案内部としての案内溝、１６ｄは、組付け時に係合ガイド１５を案内溝１６ｃに導入させるための導入溝である。
また、この実施の形態においては、各商品収納部２に対応して１つずつ設けられているガイドベース１６に対して、左右２つのスプリングガイド４が引っ掛けられているが、これに限るものではなく、ガイドベース１６の左側または右側の一方だけにスプリングガイド４を引っ掛けたり、また、スプリングガイド４をガイドベース１６の幅方向中央に１本設けたり、左右および中央の３本設けたりしてもよい。
【００２９】
この構成において、収納する商品３の大きさが変更されたために、商品収納部２における下部箇所の商品収納有効寸法の調節を行う際には、係合ガイド１５を持って、この係合ガイド１５をスプリングガイド４の付勢力に抗して下降させて（図５（ａ）における仮想線部を参照）、係合ガイド１５の係合孔１５ｆをガイドベース１６の被係合部としての突部１６ｂから離脱させる。そして、係合ガイド１５を奥行方向（手前側または奥側）に移動させて、商品３の長さに応じた商品収納有効寸法となるに適した位置の係合ガイド１５の係合孔１５ｆをガイドベース１６の突部１６ｂに挿入させて、係合ガイド１５から手を離す。これにより、係合ガイド１５はガイドベース１６に良好に係合した状態に維持される。
【００３０】
なお、この位置変更の際に係合ガイド１５の係合部１５ｆをガイドベース１６の突部１６ｂから離脱させて、係合ガイド１５を奥行方向（上記の場合は奥側）に少し移動させると、図５（ｂ）に示すように、係合ガイド１５の前延部１５ｃがガイドベース１６の突部１６ｂに下方から当接した姿勢となるので、係合ガイド１５を下方に押し下げることをやめても、係合ガイド１５の係合部１５ｆがガイドベース１６の突部１６ｂから離脱した状態は維持される。そして、この状態から、係合ガイド１５をおおよそ奥側に押すと、係合ガイド１５は、ガイドカバー１６の案内溝１６ｃや突部１６ｂおよび挿通孔１６ａに案内されて、他の方向に移動することが規制されながら、良好に手前側に移動し、係合ガイド１５における例えば手前側の係合孔１５ｆが、ガイドカバー１６の突部１６ｂの位置まで移動された時点で、突部１６ｂが係合孔１５ｆに嵌り込んで係合する。
【００３１】
このように、この構成によっても、スプリングガイド４の付勢力を利用して、係合ガイド１５によるガイドベース１６への係合状態を維持させるように構成したので、従来必要であった、化粧ねじなどを用いていた場合のようなねじを緩める動作や固定する動作などが不要になり、その分だけ、手間を省くことができる。すなわち、係合ガイド１５のガイドベース１６からの離脱、係合ガイド１５の移動、係合ガイド１５のガイドベース１６への係合の、３段階の動作だけで済んで、最小限の手間で商品収納有効寸法の調節を行うことができ、作業効率が向上する。
【００３２】
また、位置変更の際には、係合ガイド１５を押し下げて奥行方向（上記の場合は手前側）に少しずらすと、係合ガイド１５の係合部１５ｆがガイドベース１６の突部１６ｂから離脱して、係合ガイド１５の前延部１５ｃがガイドベース１６の突部１６ｂに下方から当接した姿勢となり、係合部１５ｆが離脱した状態を良好に維持される。そして、この状態から奥行方向（上記の場合は奥側）に移動させるだけで、係合ガイド１５は、ガイドカバー１６の案内溝１６ｃや突部１６ｂおよび挿通孔１６ａに案内されながら良好に移動して、その係合孔１５ｆにガイドベース１６の突部１６ｂが係合するので、この位置変更動作を片手だけでも容易かつ確実に行うことができて、さらに作業効率が向上する。
【００３３】
なお、この実施の形態においても、さらに、スプリングガイド４の上方側の位置を変更可能に構成してもよい。
また、上記実施の形態においては、何れも奥行方向に２段階に商品収納有効寸法の調節を行えるようにした場合を述べたが、これに限るものではなく、ガイドベース１２の被係合部１２ａや係合ガイド１５の係合孔１５ｆを奥行方向に３つ以上設けて、３段階以上に調節できるように構成してもよいことはもちろんである。
【００３４】
【発明の効果】
以上のように本発明によれば、係合ガイドの係合部またはガイドベースの被係合部を、商品収納部の奥行方向に対して複数箇所に設けて、係合ガイドの係合部とガイドベースの被係合部とを選択的に係合可能に構成し、スプリングガイドの付勢力を利用して、係合ガイドによるガイドベースの被係合部に対する係合状態を維持させ、スプリングガイドの付勢力に抗して、前記係合ガイドをガイドベースの被係合部から離脱させるように構成したので、スプリングガイドの付勢力に抗して、係合ガイドをガイドベースの被係合部から離脱させるだけで、係合ガイドおよびスプリングガイドの奥行方向に対する位置変更を行うことができ、商品収納部下部箇所の商品収納有効寸法の調節を、手間をあまりかけることなく行うことができ、作業効率が向上する。
【００３５】
また、係合ガイドを位置変更させる際に係合ガイドの移動方向を案内する案内部を設けることにより、係合ガイドを位置変更させる際には、案内部により係合ガイドが案内されるので、係合ガイドの位置変更を片手だけでも容易かつ確実に行うことができて、さらに作業効率が向上する。
【図面の簡単な説明】
【図１】（ａ）は本発明の第１の実施の形態にかかる自動販売機の商品収納装置の斜視図、（ｂ）は同商品収納装置のガイドベースおよびガイドカバーの斜視図である。
【図２】（ａ）〜（ｃ）はそれぞれ同商品収納装置の係合ガイドおよびその近傍箇所の側面図で、係合ガイドの位置を変更する状態をそれぞれ示している。
【図３】同商品収納装置においてスプリングガイドの上部の位置を変更する状態を概略的に示す斜視図である。
【図４】（ａ）は本発明の第２の実施の形態にかかる自動販売機の商品収納装置の斜視図、（ｂ）は同商品収納装置のガイドベースの斜視図である。
【図５】（ａ）〜（ｃ）はそれぞれ同商品収納装置の係合ガイドおよびその近傍箇所の側面図で、係合ガイドの位置を変更する状態をそれぞれ示している。
【図６】（ａ）は従来の自動販売機の商品収納装置における奥行調整ガイドの斜視図、（ｂ）は同従来の自動販売機の商品収納装置の斜視図である。
【図７】同従来の自動販売機の商品収納装置の側面図である。
【符号の説明】
２        商品収納部
３        商品
４        スプリングガイド
４ａ      スプリング部
４ｂ      ワイヤー
１０      搬出ユニット
１１、１５      係合ガイド
１１ａ    係合部
１２、１６    ガイドベース
１２ａ    被係合部
１３      ガイドカバー
１３ａ    案内長孔
１３ｂ    案内長孔
４ｃ      フック部
１５ａ    規制面部
１５ｂ    引掛溝
１５ｃ    前延部
１５ｄ    抜け止め部
１５ｅ    前面部
１５ｆ    係合孔（係合部）
１６ａ    挿通孔
１６ｂ    突部（被係合部）
１６ｃ    案内溝
１６ｄ    導入溝
【図１】
2005025580.tif 000003
【図２】
2005025580.tif 000004
【図３】
2005025580.tif 000005
【図４】
2005025580.tif 000006
【図５】
2005025580.tif 000007
【図６】
2005025580.tif 000008
【図７】
2005025580.tif 000009